(57)【要約】      （修正有）【課題】シリーズ番組の放送形態が通常と異なる場合に、ユーザの視聴／録画のスケジュールに対する支障を防止する番組表搭載デジタル放送受信機の提供。【解決手段】放送信号を受信する受信手段と、受信した放送信号を表示装置に出力する信号変換手段と、番組選択等の各種指令を入力するための入力手段と、番組情報を記憶する記憶手段と、前記記憶手段に記憶させた番組情報に基いてＥＰＧを作成し、この作成したＥＰＧを前記表示装置にＥＰＧ画面として表示させ、かつ、番組をグループとして扱うシリーズ番組情報一覧を前記ＥＰＧ画面と同一画面に表示し、前記ＥＰＧ画面でフォーカスされた番組がシリーズ番組である場合、前記シリーズ番組情報一覧にそのシリーズ情報を表示するとともに、このシリーズ番組の標準番組情報と各回の番組情報とを比較し、各回の番組の放送開始時間、放送終了時間のいずれかが標準と異なる場合、その異なる箇所を強調表示する。【選択図】図２
2006115229.tif 000002
【特許請求の範囲】
【請求項１】
放送局から発信されるデジタル／アナログ放送信号を受信する受信手段と、
この受信手段が受信した放送信号を復号するデジタル／アナログ復号手段と、
このデジタル／アナログ復号手段が復号した復号信号を映像表示が可能な信号に変換し
て表示装置に出力する信号変換手段と、
前記表示装置に所定のＯＳＤ表示をさせるＯＳＤ表示手段と、
番組選択等の各種指令を入力するための入力手段と、
前記デジタル／アナログ復号手段が復号した復号信号に含まれる番組情報を記憶する記
憶手段と、
前記各手段を制御するとともに、前記入力手段からの指令を受け、前記記憶手段に記憶
させた番組情報に基いてＥＰＧを作成し、この作成したＥＰＧを前記ＯＳＤ表示手段を介
して前記表示装置にＥＰＧ画面として表示させ、かつ、番組をグループとして扱うシリー
ズ番組情報一覧を前記ＥＰＧ画面と同一画面に表示し、前記ＥＰＧ画面でフォーカスされ
た番組がシリーズ番組である場合、前記シリーズ番組一覧にそのシリーズ情報を表示する
とともに、このシリーズ番組の標準番組情報と各回の番組情報とを比較し、各回の番組の
放送開始時間、放送終了時間のいずれかが標準と異なる場合、その異なる箇所を強調表示
し、かつ、当該番組の標準の放送予定日に放送されない空き週があるとき、その標準の放
送予定日の覧にこの旨を視認できるように表示するように制御する制御手段と、を備えた
ことを特徴とする番組表搭載デジタル放送受信機。
【請求項２】
放送局から発信される放送信号を受信する受信手段と、
この受信手段が受信した放送信号を映像表示が可能な信号に変換して表示装置に出力す
る信号変換手段と、
番組選択等の各種指令を入力するための入力手段と、
番組情報を記憶する記憶手段と、
前記各手段を制御するとともに、前記入力手段からの指令を受け、前記記憶手段に記憶
させた番組情報に基いてＥＰＧを作成し、この作成したＥＰＧを前記表示装置にＥＰＧ画
面として表示させ、かつ、番組をグループとして扱うシリーズ番組情報一覧を前記ＥＰＧ
画面と同一画面に表示し、前記ＥＰＧ画面でフォーカスされた番組がシリーズ番組である
場合、前記シリーズ番組一覧にそのシリーズ情報を表示するとともに、このシリーズ番組
の標準番組情報と各回の番組情報とを比較し、各回の番組の放送開始時間、放送終了時間
のいずれかが標準と異なる場合、その異なる箇所を強調表示するように制御する制御手段
と、を備えたことを特徴とする番組表搭載デジタル放送受信機。
【請求項３】
前記制御手段は、シリーズ番組の標準番組情報と各回の番組情報とを比較し、当該番組
の標準の放送予定日に放送されない空き週があるとき、その標準の放送予定日の覧にこの
旨を視認できるように表示することを特徴とする請求項２記載の番組表搭載デジタル放送
受信機。
【発明の詳細な説明】
【技術分野】
【０００１】
この発明は、例えばＢＳ（Broadcasting Satellite）デジタル放送やＣＳ（Communicat
ion Satellite）デジタル放送、あるいは地上波デジタル放送において、番組選択や録画
予約を行う番組表を搭載した番組表搭載デジタル放送受信機に関する。
【背景技術】
【０００２】
近年、デジタル放送などの分野では、ＭＰＥＧの画像圧縮技術の利用により、多チャン
ネルの番組を広範囲にわたった放送サービスが提供されつつある。しかしながら、チャン
ネル数の増加によって、新聞や雑誌のような印刷物による番組表から当日、翌日、１週間
後などの番組を探し出してチャンネル選択や録画予約を行うことは、多くのユーザにとっ
て煩雑なものとなっている。そこで、その対策としてユーザがＴＶ画面上で番組検索や選
択ならびに録画予約等をできるように、番組情報など番組表を作るために必要なデータを
画像データや音声データとともに多重化して放送し、そして、デジタル放送チューナなど
でこの番組表に必要なデータを受信するとともに、この受信データに基づきデジタル放送
チューナなどで番組表を作成してテレビジョン装置などに映し出す電子番組表（以下、Ｅ
ＰＧと称す）が使用されるようになってきており、ＥＰＧによるさまざまな番組表機能が
開発されている。
【０００３】
例えば、特許文献１には、シリーズ情報復調手段で復調されたシリーズ記述子からを用
いて予約できなかった番組を検出し、その抜け番組の再録画を自動的に行うことができる
デジタル放送受信機が開示されている。
【特許文献１】特開２００２−３５４３５４号公報
【発明の開示】
【発明が解決しようとする課題】
【０００４】
上述のように、特許文献１には、一般のＥＰＧ番組表とは別にシリーズ番組の一覧のみ
を表示させて録画抜けを検索し、抜けている放送回を自動的に録画するものであるが、シ
リーズ番組を特別に表示する画面から予約を実行するものであり、通常のＥＰＧ番組表か
らシリーズ番組の一覧に画面を切り替える必要がある。また、ＥＰＧ番組表で例えば一週
間分の通常番組を含む放送予定を参照したり、検索および予約録画しつつ、シリーズ番組
を検索及び予約録画できるものではない。
【０００５】
また、シリーズ番組の放送形態が例えば週１回（月曜日）である場合、通常は毎週月曜
日の同じ放送開始時間、放送継続時間で放送されるが、時々、何らかの原因で放送開始時
間が遅くなったり、継続時間が長くなったりする。また、野球中継等で放送予定の無い週
もある。その場合、放送開始時刻等の変更、放送予定の無いことによって、ユーザの視聴
／録画のスケジュールに支障をきたす場合がある。特許文献１には、この点については言
及されていない。
【０００６】
本発明の目的は、シリーズ番組の放送形態が通常と異なる場合にも、ユーザの視聴／録
画のスケジュールに支障をきたすことを防止する番組表搭載デジタル放送受信機を提供す
ることにある。
【課題を解決するための手段】
【０００７】
第１発明に係る番組表搭載デジタル放送受信機は、放送局から発信されるデジタル／ア
ナログ放送信号を受信する受信手段と、この受信手段が受信した放送信号を復号するデジ
タル／アナログ復号手段と、このデジタル／アナログ復号手段が復号した復号信号を映像
表示が可能な信号に変換して表示装置に出力する信号変換手段と、前記表示装置に所定の
ＯＳＤ表示をさせるＯＳＤ表示手段と、番組選択等の各種指令を入力するための入力手段
と、前記デジタル／アナログ復号手段が復号した復号信号に含まれる番組情報を記憶する
記憶手段と、前記各手段を制御するとともに、前記入力手段からの指令を受け、前記記憶
手段に記憶させた番組情報に基いてＥＰＧを作成し、この作成したＥＰＧを前記ＯＳＤ表
示手段を介して前記表示装置にＥＰＧ画面として表示させ、かつ、番組をグループとして
扱うシリーズ番組情報一覧を前記ＥＰＧ画面と同一画面に表示し、前記ＥＰＧ画面でフォ
ーカスされた番組がシリーズ番組である場合、前記シリーズ番組一覧にそのシリーズ情報
を表示するとともに、このシリーズ番組の標準番組情報と各回の番組情報とを比較し、各
回の番組の放送開始時間、放送終了時間のいずれかが標準と異なる場合、その異なる箇所
を強調表示し、かつ、当該番組の標準の放送予定日に放送されない空き週があるとき、そ
の標準の放送予定日の覧にこの旨を視認できるように表示するように制御する制御手段と
、を備えたことを特徴とする。
【０００８】
この番組表搭載デジタル放送受信機によれば、ＥＰＧ画面とシリーズ番組情報一覧画面
が同時に表示されるため、ＥＰＧ画面で選択した番組からシリーズ番組の詳細情報が簡単
に検索でき、予約録画も簡単に行うことができるとともに、急に放送開始時間や放送終了
時間が変更された場合、これを強調表示し、さらに、放送予定日にその番組を中止した場
合、その旨を表示することにより、シリーズ番組の放送形態が通常と異なる場合にも、ユ
ーザの視聴や録画スケジュールに支障をきたすことを防止することができる。
【０００９】
第２発明に係る番組表搭載デジタル放送受信機は、放送局から発信される放送信号を受
信する受信手段と、この受信手段が受信した放送信号を映像表示が可能な信号に変換して
表示装置に出力する信号変換手段と、番組選択等の各種指令を入力するための入力手段と
、番組情報を記憶する記憶手段と、前記各手段を制御するとともに、前記入力手段からの
指令を受け、前記記憶手段に記憶させた番組情報に基いてＥＰＧを作成し、この作成した
ＥＰＧを前記表示装置にＥＰＧ画面として表示させ、かつ、番組をグループとして扱うシ
リーズ番組情報一覧を前記ＥＰＧ画面と同一画面に表示し、前記ＥＰＧ画面でフォーカス
された番組がシリーズ番組である場合、前記シリーズ番組一覧にそのシリーズ情報を表示
するとともに、このシリーズ番組の標準番組情報と各回の番組情報とを比較し、各回の番
組の放送開始時間、放送終了時間のいずれかが標準と異なる場合、その異なる箇所を強調
表示するように制御する制御手段と、を備えたことを特徴とする。
【００１０】
この番組表搭載デジタル放送受信機によれば、ＥＰＧ画面と現視聴番組のシリーズ番組
情報一覧画面が同時に表示されるため、ＥＰＧ画面で選択した番組からシリーズ番組の詳
細情報が簡単に検索でき、予約録画も簡単に行うことができるとともに、急に放送開始時
間や放送終了時刻が変更された場合、これを強調表示することにより、シリーズ番組の放
送形態が通常と異なる場合にも、ユーザの視聴や録画スケジュールに支障をきたすことを
防止することができる。
【００１１】
第３発明に係る番組表搭載デジタル放送受信機は、第２発明に係る番組表搭載デジタル
放送受信機において、前記制御手段は、シリーズ番組の標準番組情報と各回の番組情報と
を比較し、当該番組の標準の放送予定日に放送されない空き週があるとき、その標準の放
送予定日の覧にこの旨を視認できるように表示することを特徴とする。
。
【００１２】
この番組表搭載デジタル放送受信機によれば、放送予定日にその番組を中止した場合、
その旨を表示することにより、シリーズ番組の放送形態が通常と異なる場合にも、ユーザ
の視聴や録画スケジュールに支障をきたすことを防止することができる。
【発明を実施するための最良の形態】
【００１３】
以下、本発明の実施の形態を図面に基づいて説明する。
【００１４】
図１は、本実施形態によるデジタル／アナログ放送受信装置のブロック構成を示してい
る。デジタル／アナログ放送受信装置（ＳＴＢ）１には、放送局から所定周波数の高周波
電波で発信されるテレビ放送信号を受信するためのアンテナ２０と、テレビ放送の映像を
映し出すためのテレビモニタ（表示装置）３０が接続される。放送受信装置１は、放送局
から発信されるＡＴＳＣ放送信号やＮＴＳＣ放送信号をアンテナ２０を介して受信し、こ
れらの放送信号により配信されるテレビ番組の映像をテレビモニタ３０に映し出すための
装置である。
【００１５】
放送受信装置１は、リモコン（入力手段）２からの入力信号を受信するリモコン受信部
３と、チューナ（受信手段）４と、ＮＴＳＣデコーダ（アナログ復号手段）５と、ＭＰＥ
Ｇエンコーダ６と、ＡＴＳＣフロントエンド（デジダル復号手段）７と、ＭＰＥＧデコー
ダバックエンド（信号変換手段）９と、ＯＳＤ回路１０と、メモリ１１と、制御部（制御
手段、検索手段、色変更制御手段、ハイライト表示制御手段、警告手段）１３とから構成
されている。
【００１６】
リモコン２は、視聴するテレビ番組のチャンネル選局、テレビ番組の視聴予約及び、Ｅ
ＰＧ画面の表示等の各種操作を行うためのものであり、ユーザにより操作される。リモコ
ン２は、これら各種の操作を可能とするため、後述のような各種操作ボタンを備えており
、各種操作ボタンを操作すると、その操作に応じた赤外線信号等の無線信号を送出する。
【００１７】
リモコン受信部３は、リモコン２から送出された信号を受信し、リモコン２での操作に
対応する信号を制御部１３へ出力する。チューナ４は、その受信周波数をリモコン２で選
局操作されたチャンネルに対応する周波数に同調させることにより、選局操作されたチャ
ンネルのテレビ放送信号をアンテナ２０を介して受信する。
【００１８】
ＮＴＳＣデコーダ５は、リモコン２によりＮＴＳＣ（National Television Systems Co
mmittee）放送のチャンネルが選局された場合、チューナ４で受信したＮＴＳＣ放送信号
をテレビ番組の映像信号と音声信号に復調し、その映像信号と音声信号をＭＰＥＧエンコ
ーダ６へ出力する。ＭＰＥＧエンコーダ６は、ＮＴＳＣデコーダ５から出力された映像信
号と音声信号をＭＰＥＧ規格でデジタル圧縮符号化し、ＭＰＥＧデコーダバックエンド９
へ出力する。
【００１９】
ＡＴＳＣフロントエンド７は、リモコン２によりＡＴＳＣ放送のチャンネルが選局され
た場合、チューナ４で受信した８ＶＳＢ方式で変調されたＡＴＳＣ放送信号を、ＭＰＥＧ
規格でデジタル圧縮符号化された複数のテレビ番組の映像と音声、及び電子番組情報（Ｅ
ＰＧ情報）等の信号が時分割多重化された状態のＴＳ信号に復調する。そして、ＡＴＳＣ
フロントエンド７は、このＴＳ信号から、リモコン２で選局されたチャンネルのテレビ番
組の映像信号と音声信号を分離抽出してＭＰＥＧデコーダバックエンド９へ出力すると共
に、電子番組情報を抽出して制御部１３へ出力する。この電子番組情報には、各番組の番
組名、番組説明及びユーザの視聴を制限するためのレイティング情報などが含まれる。
【００２０】
ＭＰＥＧデコーダバックエンド９には、ＭＰＥＧエンコーダ６及びＡＴＳＣフロントエ
ンド７から出力されるＭＰＥＧ規格によりデジタル圧縮符号化された映像信号と音声信号
が入力される。ＭＰＥＧデコーダバックエンド９は、これらの映像信号と音声信号をデジ
タル圧縮符号化される前の信号に復号することで、テレビモニタ３０に映像を映し出すと
共に音声を出力するための信号を生成する。ＭＰＥＧデコーダバックエンド９から出力さ
れた映像信号は、ＯＳＤ回路１０を介してテレビモニタ３０へ出力される。
【００２１】
ＯＳＤ回路１０は、ＭＰＥＧデコーダバックエンド９から出力される映像信号にチャン
ネル番号やＥＰＧ画面等の所定のオンスクリーン表示データを重畳する。これにより、テ
レビモニタ３０には、テレビ番組の映像にオンスクリーン表示データによる画像が重ねて
表示される。
【００２２】
メモリ１１は、各チャンネルのテレビ放送信号の周波数データ及び各種のオンスクリー
ン表示データを記憶している。また、メモリ１１は、ＡＴＳＣフロントエンド７が抽出し
た電子番組情報を記憶する。
【００２３】
制御部１３は、リモコン２によりＮＴＳＣ放送のチャンネルが選局された場合には、チ
ューナ４に対して選局されたチャンネルのＮＴＳＣ放送信号を受信させると共に、ＮＴＳ
Ｃデコーダ５に対して映像信号と音声信号を復調再生させる。また、リモコン２によりＡ
ＴＳＣ放送のチャンネルが選局された場合には、チューナ４に対して選局されたチャンネ
ルのＡＴＳＣ放送信号を受信させ、ＡＴＳＣフロントエンド７に対して選局されたチャン
ネルの映像信号と音声信号を分離抽出させる。
【００２４】
また、制御部１３は、チューナ４に対してＡＴＳＣ放送信号を受信させ、ＡＴＳＣフロ
ントエンド７から出力される電子番組情報をメモリ１１に記憶させる。そして、リモコン
２によりＥＰＧ画面の表示操作が行われると、メモリ１１に記憶させた電子番組情報を参
照して、ＥＰＧの番組選択画面の表示画像を作成し、その画像信号をＯＳＤ回路１０へ出
力する。これにより、ＥＰＧの番組選択画面がテレビモニタ３０に表示される。次に、こ
の実施の形態のチューナ１から出力される番組表の構成例を説明する。
【００２５】
図２は、チューナ１から表示信号として出力されテレビモニタ３０に映し出される番組
表の一例を示す画像図である。
【００２６】
ＥＰＧボタンを押すと、ＥＰＧ画面４１（通常の番組表）及びシリーズ番組情報表示部
４２が表示され、ＥＰＧ画面４１（通常の番組表）及びシリーズ番組情報表示部４２で現
在視聴中の番組（この例では、「連ドラ・ＡＡＡ」）がフォーカスされる。なお、ここに
いうフォーカスとは、その部分の光度を強くしたり、点滅させたり、反転させたり等によ
り、他の部分と区別できるようにすることである。この例では、フォーカスは太枠で表さ
れている。同図に示すように、この番組表４０は、ある年月日（この例では、２００４年
６月４日(金)）における、ＥＰＧ画面４１と、このＥＰＧ画面４１の右側に表示されるシ
リーズ番組情報表示部４２とが同時に一画面に表示されたものである。シリーズ番組は、
例えば、毎日、月曜から金曜に毎日、毎週１回、月１回のように規則的に放映される番組
、あるいはサッカー中継等のように不定期な番組である。ＥＰＧ画面４１及びシリーズ番
組情報表示部４２の表示は、電子番組情報（ＥＰＧ情報）から取得される。
【００２７】
ＥＰＧ画面４１は、縦軸に放送局名４３、横軸に時間４４およびそれぞれの時間におけ
る番組名４５を表示したもので、従来から用いられている通常のものである。ＥＰＧ画面
４１には、スクロールバー４１ａが設けられており、これをリモコン２等で操作すること
により、画面をスクロールさせて、現在画面表示されていない番組を表示できるようにな
っている。
【００２８】
ここでは、ＥＰＧ画面４１において、現在視聴中の番組「連ドラ・ＡＡＡ」がフォーカ
スされ、シリーズ番組情報表示部４２には、ＥＰＧ画面４１でフォーカスされた「連ドラ
・ＡＡＡ」の番組内容一覧、即ち「連ドラ・ＡＡＡ」の各放送回の一覧が表示される。ま
た、シリーズ番組情報表示部４２では、ＥＰＧ画面４１でフォーカスされている番組「連
ドラ・ＡＡＡ」に対応する放送回（ここでは、２００４年６月４日、第６話）をフォーカ
スする。ここでは、フォーカスを太枠で表示している。この状態では、シリーズ番組情報
表示部４２においてフォーカス移動可能である。なお、リモコン、ソフトキー等に設けら
れる切替キーにより、ＥＰＧ画面４１とシリーズ番組情報表示部４２との間でアクティブ
（フォーカス移動可能な画面）を切り替えることができる。例えば、図２の画面において
、切替キーの押下によりＥＰＧ画面４１でフォーカスを移動可能とし、ＥＰＧ画面４１に
おいてフォーカスを他のシリーズ番組「クッキングＡ」に移動すれば、シリーズ番組情報
表示部４２には、「クッキングＡ」の各放送回の一覧が表示される。
【００２９】
また、図２では、ＥＰＧ画面４１でフォーカスされている番組「連ドラ・ＡＡＡ」に関
する番組情報（番組名、出演者、番組内容等）が、ＥＰＧ画面４１の下部に表示される。
この番組情報は、フォーカスされている番組がシリーズ番組か否かに関わらず表示される
。また、シリーズ番組情報表示部４２でフォーカスされているシリーズ番組「連ドラ・Ａ
ＡＡ」のシリーズ情報（シリーズ名、週１回、編成、残話数、最終放送日等）が、シリー
ズ情報表示部４２の下部に表示される。番組情報およびシリーズ情報は、ＥＰＧ情報から
取得される。
【００３０】
ところで、編成（放送形態）が週１回等のように定期的に決まっている場合には、通常
は、放送日、放送開始時間や放送継続時間は決まっており、同じ曜日に同一の放送開始時
間、放送継続時間で放送されるが、野球中継や緊急事件の特別番組等により放送時刻が遅
くなったり、初回、最終回等で継続時間が長くなったりすることがある。また、最初から
野球中継等が入ることが決まっている場合、その番組を中止、すなわち、放送予定無しと
することもある。このような場合、ユーザが気がつかないと、視聴や録画に支障をきたす
ことがある。例えば、放送開始時刻が遅れているのに通常の放送開始時間から録画をして
冒頭部分を録画し損ねる場合がある。また、放送継続時間が長くなっているのに、ユーザ
が通常の放送継続時間で録画可能と思い録画したところ、記録メディア（ビデオテープ、
ＤＶＤ、ハードディスク等）の録画領域が足りず、後半部分を録画し損ねる場合がある。
また、放送予定がないのに、ユーザがその日時に視聴しようとして視聴できない場合があ
る。
【００３１】
このような事態を解消するため、以下のような表示方法を採用するものである。
【００３２】
制御部１３は、シリーズ番組、この例では、「連ドラ・ＡＡＡ」の標準番組情報(後述
する)とこの番組の各回の情報とを比較し、放送開始時間および放送終了時間が標準と異
なる場合は、その箇所を強調表示する。具体的には、例えば、連ドラ第８話では、標準（
２１：００−２１：５５）より１０分遅れ（２１：１０−２２：０５）で放送されるので
、この部分２１：１０−２２：０５を、例えば太文字または下線で強調表示する。連ドラ
第１０話（最終話）では、放送継続時間が標準（５５分）より３０分長く、放送終了時間
が標準とは異なり、２２：２５まで放送されるので、放送終了時間２２：２５を、例えば
太文字または下線で強調表示する。さらに、週１回の放送予定では６月１１日の次は６月
１８日であるが、その日は野球中継等のため、連ドラ・ＡＡＡの放送予定がない、すなわ
ち、空き週になった場合、「この週の放送予定無し」の文字を表示する。強調表示の手段
は、上記のように太文字や下線のほか、文字と背景を反転する、色づけする、点滅させる
等、任意の手段が用いられる。比較のための標準情報としては、例えば、シリーズ番組情
報表示部４２に表示される残話数の最初の番組、この例では第６話の情報を標準（基準）
として扱い、これと他の各回の番組と比較する。
【００３３】
また、放送開始時間、放送終了時間についての各放送回の情報と標準の情報との比較は
、以下のようにしても良い。即ち、シリーズ番組のＥＰＧ情報を更新するたびに、各放送
回の放送開始時間、放送終了時間のうち最も頻度の高い放送開始時刻、放送終了時刻を抽
出して標準の放送開始時間、放送終了時間を決定するようにしても良い。
【００３４】
以上説明した本実施形態に係るデジタル放送受信機によれば、通常一定の放送形態で放
送されるシリーズ番組の放送開始時間等が変更されたり、空き週が生じたとしても、ユー
ザの視聴／録画スケジュールに支障をきたすことを防止できる。例えば、放送形態が変更
されて放送開始時刻が遅れているのに通常の放送開始時間から録画をして冒頭部分を視聴
／録画し損ねることを防止できる。また、放送継続時間が長くなっているのに、ユーザが
通常の放送継続時間で録画可能と思い録画したところ、記録メディア（ビデオテープ、Ｄ
ＶＤ、ハードディスク等）の録画領域が足りず、後半部分を録画し損ねることを防止でき
る。また、ユーザが最後まで見ようと思っていた番組が予定の時間に視聴し終わらず、後
半部分を視聴し損ねたり、他のスケジュールに影響を及ぼすことを防止できる。また、放
送予定がないのに、ユーザがその日時に視聴／録画しようとして視聴／録画できないこと
を防止できる。
【００３５】
また、図２のシリーズ番組情報表示部４２に表示された各放送回の一覧において、所望
の放送回にフォーカスを合わせた状態でリモコンやソフトキーの決定キーを押下して、当
該放送回の番組予約を受け付けるようにしても良い。このようにすれば、標準と異なる放
送開始時間や放送終了時間、空き週をユーザが確認して録画予約ができるので、視聴／録
画スケジュールに支障をきたすことを防止するとともに、録画予約の利便性も向上させる
ことができる。
【図面の簡単な説明】
【００３６】
【図１】本発明の一実施形態による放送受信装置のブロック構成図。
【図２】放送形態の変更等があった場合のシリーズ番組情報表示部の表示例。
【符号の説明】
【００３７】
１  デジタル／アナログ放送受信機
２  リモコン（入力手段）
４  チューナ（受信手段）
５  ＮＴＳＣデコーダ（アナログ復号手段）
７  ＡＴＳＣフロントエンド（デジダル復号手段）  
８  ＭＰＥＧデコーダバックエンド（信号変換手段）
９  ＯＳＤ回路（ＯＳＤ表示手段）
１１  メモリ（記憶手段）
１３ 制御手段
３０  表示装置
４１  ＥＰＧ画面
４２  シリーズ番組情報表示部
【図１】
2006115229.tif 000003
【図２】
2006115229.tif 000004